【手続補正書】
【提出日】平成20年4月8日(2008.4.8)
【手続補正１】
【補正対象書類名】特許請求の範囲
【補正対象項目名】全文
【補正方法】変更
【補正の内容】
【特許請求の範囲】
【請求項１】
ストライカに係合して、前記ストライカとの前記係合を保持するように閉じる、ラッチ・アセンブリであって、
ハウジングと、
前記ハウジング上にて開き位置と閉じ位置との間で回転するように前記ハウジングに対して取付けられた、パドル形状を有する、ハンドルと、
前記開き位置と前記閉じ位置との間で回転するように前記ハウジング内に取付けられて、前記ストライカと係合して前記閉じ位置に移動する、回転式止め歯と、
前記パドルによって担持されて、前記パドルが完全に前記開き位置にあるときに前記パドルの運動により前記止め歯に係合するように移動して、前記運動をしないように前記止め歯を保持する、係止プレートと、を備え、
前記パドルが完全に開かれたとき、前記係止プレートは摩擦干渉接触により前記止め歯を保持することで、前記パドルもまた前記開き位置に保持されて、前記回転式止め歯は移動して、前記回転式止め歯の前記ストライカに対する係合運動によって前記摩擦干渉が克服されて、前記回転式止め歯が前記閉じ位置にあるとき、前記パドルは前記閉じ位置にある、ラッチ・アセンブリ。
【請求項２】
前記パドルを前記閉じ位置へと付勢する第１トーションスプリング、および、前記止め歯を前記開き位置へと付勢する第２トーションスプリングを更に含む、請求項１記載のラッチ・アセンブリ。
【請求項３】
前記パドルはグースネック回動点を有する一対の回動アームを含み、該各アームは平行に伸びる案内路溝を有し、
前記係止プレートは、前記パドルの夫々の案内路溝間に前記係止プレートが伸びて前記案内路溝内に乗るために前記係止プレートの両端に脚部を夫々有する細長形状である、請求項２記載のラッチ・アセンブリ。
【請求項４】
前記パドルが閉じられたときに前記係止プレートは前記止め歯を前記閉じ位置に保持し、
前記係止プレートは、前記止め歯を前記摩擦干渉接触により保持する第１傾斜表面を含むと共に、前記止め歯を当接干渉により前記閉じ位置に保持する第２表面も含む、請求項３記載のラッチ・アセンブリ。
【請求項５】
前記止め歯は、前記止め歯上で回転するための一対の片持ちシャフトと、湾曲後縁部と、ストライカ係合スロットと、付勢スプリング用スロットと、後側捕捉フィンガとを含み、
前記第２トーションスプリングは、前記止め歯の付勢スプリング用スロットに係合するループと、前記ループに接続された一対のスプリング・コイルと、前記コイルの各々から夫々が伸びる一対の端部脚部であって前記コイルが前記片持ちシャフト上に取付けられたときに前記ハウジングに当接して作用する一対の端部脚部とを含み、
更に、前記止め歯の後側捕捉フィンガは前記係止プレートの前記第二の表面と接触する、請求項４記載のラッチ・アセンブリ。
【請求項６】
前記ハウジングは、その片持ちシャフト上で前記パドルが回転すると共に一方の片持ちシャフトは更に長寸である一対の片持ちシャフトを含み、
前記第２トーションスプリングは、単一コイルと、一方は前記パドルに当接して作用し他方は前記ハウジングに当接して作用する一対の端部脚部とを含み、
前記第２トーションスプリングの前記コイルは前記ハウジングの長寸である方の片持ちシャフトに対して取付けられる、請求項５記載のラッチ・アセンブリ。
【請求項７】
前記ハウジングは、前記パドルが前記閉じ位置にあるときに前記パドルが当接するリング状バンパを含み、
前記パドルのアームは各々、ジャーナルと、その下方の開口と、該開口内で作用すると共に前記ジャーナル内へと伸びる張力を常時保つスプリングであって、ハウジングの夫々の片持ちシャフトに係合する湾曲接触表面を有する張力を常時保つスプリングと、を含む、請求項６記載のラッチ・アセンブリ。
【請求項８】
前記パドルは下方に伸びる裾部を有すると共に、前記ハウジングは上方に伸びる裾部と一対の当接先端とを備えた後壁部を有し、
前記パドルが前記閉じ位置にあるときに、前記パドルの裾部および前記ハウジングの裾部はそのラッチ・アセンブリの外側背面を遮断し、前記当接先端は前記パドルの裾部および前記ハウジングの裾部の完全接触を阻止する、請求項７記載のラッチ・アセンブリ。
【請求項９】
手動で組立てることができる、請求項８記載のラッチ・アセンブリ。
【請求項１０】
ハウジングと、
前記ハウジング上にてグースネック回動点により回転するように前記ハウジングに対して取付けられたパドルであって、開き位置と閉じ位置との間で作用可能であることにより低い外郭形状を提供すると共に、自身上に少なくとも一本の案内路を有するパドルと、
前記パドルの案内路内で摺動するために前記案内路の各々に係合する係止プレートと、
前記開き位置と前記閉じ位置との間で回転するように前記ハウジング内に取付けられた止め歯と、
前記パドルを前記閉じ位置へと付勢する第１トーションスプリングと、
前記止め歯を前記開き位置へと付勢する第２トーションスプリングと、を備え、
前記係止プレートは、前記係止プレートの一方の表面により前記止め歯を閉じて保持し、前記係止プレートの別の表面により前記止め歯を開いて保持する、ラッチ・アセンブリ。
【請求項１１】
前記係止プレートは、前記ハウジングと定常的に接触するように外方に伸びる移動アームも含む、請求項１０記載のグラブボックス用ラッチ・アセンブリ。
【請求項１２】
前記第１トーションスプリングは、前記パドルに当接する第１脚部と、前記ハウジングに当接する第２脚部とを有し、
前記第２トーションスプリングは、前記止め歯に係合するループと、前記ハウジングに係合する一対の脚部とを含む、請求項１１記載のグラブボックス用ラッチ・アセンブリ。
【請求項１３】
前記パドルが前記開き位置と閉じ位置との間で移動されるとき前記係止プレートは前記パドルの各案内路に沿い移動する、請求項１２記載のグラブボックス用ラッチ・アセンブリ。
【請求項１４】
前記係止プレートは、前記止め歯が前記閉じ位置にあるときには前記止め歯と当接干渉し、前記止め歯が前記開き位置にあるときには前記止め歯と摩擦干渉し、該摩擦干渉はまた前記パドルを前記開き位置に保持する、請求項１３記載のグラブボックス用ラッチ・アセンブリ。
【請求項１５】
ハウジングと、
前記ハウジング上にて開き位置と閉じ位置との間で回転するように前記ハウジングに対して取付けられ、その２つの壁部は平行に伸びる複数の壁部を有するパドルと、
前記ハウジング内にて前記開き位置と前記閉じ位置との間で回転するように前記ハウジングに対して取付けられた回転式止め歯と、
前記パドルの２つの平行な壁部の夫々において、平行に伸びるよう対置された一対の案内路溝と、
前記パドルの対置された前記一対の案内路溝間を伸びる係止プレートであって前記溝内に乗ると共に、傾斜表面を含む係止プレートとを備え、
前記係止プレートは前記パドルが前記開き位置にあるときに前記傾斜表面にて前記止め歯に対して選択的に係合する、ラッチ・アセンブリ。
【請求項１６】
前記止め歯に対する前記係止プレートの傾斜表面の係合は摩擦干渉係合である、請求項１５記載のラッチ・アセンブリ。
【請求項１７】
前記パドルが前記閉じ位置にあるときに前記係止プレートは当接により他方の表面上において前記止め歯に係合する、請求項１６記載のラッチ・アセンブリ。
【請求項１８】
前記係止プレートは前記パドルの移動により、前記止め歯に対する前記摩擦干渉位置と前記止め歯に対する前記当接係合位置との間で移動される、請求項１７記載のラッチ・アセンブリ。
【請求項１９】
前記パドルの前記移動は前記開き位置から前記閉じ位置までである、請求項１８記載のラッチ・アセンブリ。
【請求項２０】
前記係止プレートの前記摩擦干渉は前記パドルも前記開き位置に保持し、前記当接係合は前記止め歯を前記閉じ位置に保持する、請求項１９記載のラッチ・アセンブリ。
【請求項２１】
前記係止プレートは、前記ハウジングと定常的に接触するように前記係止プレートから伸びる移動アームを含む、請求項１８記載のラッチ・アセンブリ。
【請求項２２】
前記パドルを前記閉じ位置へと付勢し、前記パドルと当接する第１脚部および前記ハウジングと当接する第２脚部を有する第１トーションスプリングを更に含む、請求項２１記載のラッチ・アセンブリ。
【請求項２３】
前記止め歯を前記開き位置へと付勢し、前記止め歯と係合するループと前記ハウジングに係合する一対の脚部とを有する第２トーションスプリングを更に含む、請求項２２記載のラッチ・アセンブリ。
【請求項２４】
前記パドルと前記ハウジングとの間で接触して作用する、前記係止プレートに対して張力を常時保つスプリング作用を更に含む、請求項２３記載のラッチ・アセンブリ。
【請求項２５】
前記係止プレートの移動アーム、前記第１および第２のトーションスプリング、および、前記張力を常時保つスプリングは、前記ラッチ・アセンブリにおける振動を減衰するように作用する、請求項２４記載のラッチ・アセンブリ。
【請求項２６】
前記パドルは前記平行に伸びる２つの壁部上で回動し、各壁部は、高位のグースネック型回動を前記パドルに対して提供する回動点を有し、
前記パドルの各回動壁部は前記パドルが前記開き位置に到達したときに前記ハウジングと当接するフィンガを含み、前記ハウジングに当接する前記各フィンガの当接動作が前記パドルが前記開き位置に到達したことの可聴的表示を提供する、請求項２５記載のラッチ・アセンブリ。
【請求項２７】
ハウジングと、
前記ハウジング上にて開き位置と閉じ位置との間で回転するように前記ハウジングに対して取付けられたパドルと、
前記ハウジング内に取付けられた回転式止め歯と、
前記パドル上に担持された係止プレートであって、前記パドルの運動により前記止め歯に係合するように配置された係止プレートと、を備え、
前記パドルが完全に開かれたとき、前記係止プレートは前記止め歯を保持することで、前記パドルが前記開き位置に保持される、ラッチ・アセンブリ。
【請求項２８】
前記係止プレートは摩擦干渉接触により前記止め歯を保持する、請求項２７記載のラッチ・アセンブリ。
【請求項２９】
前記係止プレートは傾斜表面を含み、
前記係止プレートは前記パドルが前記開き位置にあるときに前記傾斜表面にて前記止め歯に対して係合する、請求項２７記載のラッチ・アセンブリ。
【請求項３０】
前記係止プレートは少なくとも一つの第一の表面および第二の表面を含み、
前記係止プレートは、前記第一の表面にて閉じた前記止め歯を保持し、前記第二の表面にて開いた前記止め歯を保持する、請求項２７記載のラッチ・アセンブリ。
【手続補正２】
【補正対象書類名】明細書
【補正対象項目名】０００７
【補正方法】変更
【補正の内容】
【０００７】
ヤングの特許文献１は、ベース・プレートと、このベース・プレートにある窪みと、スプリングによって開いた位置に移動させられて、ボルト１２２６（ストライカとして機能する）と係合して保持する、回転止め歯として機能する、偏心した回転カム・プレートと、および、第二のスプリングによって閉じ位置に移動する、キャッチとを備えた、ラッチを示している。このキャッチは、回転止め歯８を閉じ位置に保持する、ロック・バーのように機能する。スウェーデン、セーデルテリエのスカニア・エー・ビー社（Ｓｃａｎｉａ，  Ａ．Ｂ．）および米国、ペンシルバニア州、コンコルドビルのサウスコ社（Ｓｏｕｔｈｃｏ，  Ｉｎｃ．）はいずれも、グースネック形状のハンドル・レバーを備えたグラブボックス用回転止め歯式ラッチを閉じる強打式閉じ器を導入している。これらのラッチは、複数の付勢スプリングを備えたプラスチック製構成要素で構成されている。斯かるラッチは、ジェフリー・アントナッチ等の特許文献２および特許文献３により記述されている。これらのラッチは、本発明が着目する、様々な課題を有している。
【手続補正３】
【補正対象書類名】明細書
【補正対象項目名】０００８
【補正方法】変更
【補正の内容】
【０００８】
【特許文献１】英国特許第０５６１５３８号
【特許文献２】米国特許第５，９２７，７７２号
【特許文献３】米国特許第６，０４８，００６号
【手続補正４】
【補正対象書類名】明細書
【補正対象項目名】００１４
【補正方法】変更
【補正の内容】
【００１４】
ストライカに係合して、前記ストライカとの前記係合を保持するように閉じる、ラッチ・アセンブリであって、ハウジングと、前記ハウジング上にて開き位置と閉じ位置との間で回転するように前記ハウジングに対して取付けられた、ハンドル形状を有する、パドルと、前記開き位置と前記閉じ位置との間で回転するように前記ハウジング内に取付けられて、前記ストライカと係合して前記閉じ位置に移動する、回転式止め歯と、前記パドルによって担持され、前記パドルが完全に前記開き位置にあるときに前記パドルの運動により、前記止め歯に係合するように移動して、前記運動をしないように前記止め歯を保持する、係止プレートと、を備え、前記パドルが完全に開かれたとき、前記係止プレートは摩擦干渉接触により前記止め歯を保持することで、前記パドルもまた前記開き位置に保持されて、前記回転式止め歯は移動して、前記回転式止め歯の前記ストライカに対する係合運動によって前記摩擦干渉が克服されて、前記回転式止め歯が前記閉じ位置にあるとき、前記パドルは前記閉じ位置にある、ラッチ／アセンブリが、本発明である。
本発明の目的は、ハウジングと、ハウジング上で回転するようにハウジングに対して接続されたパドル構造体と、ハウジング内で回転するようにハウジングに対して取付けられた回転式止め歯と、パドル構造体により担持されることで回転式止め歯に対して選択的に係合して止め歯の動きを阻止する係止プレートとを有する、グラブボックス用ラッチを閉じる強打式閉じ器により実現される。回転式止め歯はループ形式トーションスプリングにより、開き位置へとスプリング付勢される。パドル構造体はトーションスプリングにより、閉じ位置へとスプリング付勢される。パドル構造体は案内路を含み、案内路内で係止プレートは作用する。
【手続補正５】
【補正対象書類名】明細書
【補正対象項目名】００１８
【補正方法】変更
【補正の内容】
【００１８】
ハウジングは、パドル構造体に当接する壁部であってラッチの操作者側の端部を遮断する壁部を含む。ハウジングは、閉じ位置においてパドル構造体が乗り掛かり又は当接するバンパも含む。ラッチは２本の回転シャフトに制限され、その一方は片持ちシャフト端部を備えた分割シャフトである。ラッチは、弾性係止的な組立てにより、工具なしで組立られることができる。すなわち、このラッチは手動で組み立てることができる。一旦、弾性係止されたなら、ラッチの分解は意図されない。
【手続補正６】
【補正対象書類名】明細書
【補正対象項目名】００２０
【補正方法】変更
【補正の内容】
【００２０】
本発明は、図１から図６のグラブボックス用ラッチ・アセンブリ５１を閉じる強打式閉じ器である。ラッチは、ハウジング５３とパドル５５とによるアクチュエータを備えた単一点式のグラブボックス用ラッチである。ラッチ・アセンブリ５１は、回転式止め歯５７、完全に案内された係止プレート５９を含むと共に、グースネック形式の回動点８３を有する。パドル５５は、トーションスプリング６３により閉じ側に付勢される。止め歯５７は、第２トーションスプリング６１により開き位置へと付勢される。
【手続補正７】
【補正対象書類名】明細書
【補正対象項目名】００２２
【補正方法】変更
【補正の内容】
【００２２】
図１から図６のラッチ・アセンブリ５１は、ハウジング５３上で回転するように取付けられたパドル５５と、ハウジング５３内で回転するようにハウジングに対して取付けられた回転式止め歯５７とを備えたハウジング５３を有する。ハウジング内においてその案内路間に配置された係止プレート５９はパドルが移動するときにパドル構造体５５により移動されることで、回転式止め歯５７に対して選択的に係合して止め歯の動きを阻止する。パドル５５および止め歯５７に対する高位の回動点８３によれば、ラッチ・アセンブリが更に低い外郭形状および減少された体積（動作範囲）を備えることが促進される。
【手続補正８】
【補正対象書類名】明細書
【補正対象項目名】００２３
【補正方法】変更
【補正の内容】
【００２３】
図１から図６においてグラブボックス用ラッチ・アセンブリ５１は、完全に閉じられた位置で示される。回転式止め歯５７は、止め歯５７のいずれかの側にコイルを有するループ形式トーションスプリング６１により開き位置へとスプリング付勢される。パドル構造体５５は、単一のコイルと、それから伸びている一対の脚部６７、６９とを有するトーションスプリング６３により、完全閉じ位置へとスプリング付勢される。止め歯のループ形式トーションスプリング６１は、ハウジング５３に当接して作用する２つの端部脚部６５と、止め歯５７に当接して作用するループ６４とを有する。パドルのトーションスプリング６３は、ハウジング５３に当接して作用する第１端部脚部６７と、パドル構造体５５に当接して作用する第２端部脚部６９とを有する。
【手続補正９】
【補正対象書類名】明細書
【補正対象項目名】００２５
【補正方法】変更
【補正の内容】
【００２５】
パドル５５は、図４および図５のグースネック回動点８３を有する。これによれば、パドル５５と、ラッチ・アセンブリ５１が取付けられる任意のグラブボックスとの間に必要とされる間隙が更に小寸とされることができる。圧縮スプリングの代わりにトーションスプリング６１、６３を使用すると、圧縮スプリングに見られる“軋み”騒音が減少もしくは排除される。係止プレート５９は、ハウジング５３の底壁部８１と、パドルに平行に伸びる側壁部７１、７３における案内路７５、７７とにより、拘束される。この拘束により、係止プレート５９の不都合な移動もしくは振動は阻止される。パドル構造体５５において生ずる一切の振動は、常に一定の張力下にある構造のトーションスプリング６３により緩衝される。回転式止め歯５７において生ずる一切の振動は、常に一定の張力下にある止め歯のトーションスプリング６１により緩衝される。係止プレート５９は、その脚部７９の各々が夫々の案内路７５、７７の後壁部に対して圧力を及ぼすことで係止プレート５９上では“張力を常時保つスプリング”動作が生成される様に寸法設定される。
【手続補正１０】
【補正対象書類名】明細書
【補正対象項目名】００２６
【補正方法】変更
【補正の内容】
【００２６】
パドル５５が全開され且つパドル５５の側壁部７１、７３が回動点８３の回りで完全に回転されたとき、係止プレート５９は、摩擦干渉係合でプレートの傾斜表面１１９により回転式止め歯５７と係合する。パドルの各側壁部７１、７３の回転行程は、図７から図１２のハウジングの後壁部８９の各側の突出ショルダ８７に対する、各側壁部７１、７３上の突出フィンガ８５の当接により制限される。これにより、フィンガ８５がショルダ８７に衝突したときに可聴当接音が提供される。
【手続補正１１】
【補正対象書類名】明細書
【補正対象項目名】００２７
【補正方法】変更
【補正の内容】
【００２７】
図７から図１２は、開き位置にあるラッチ・アセンブリを示している。開き位置においてパドル構造体５５の把持プレート９１は、場合に応じて上昇され、すなわち、外方または上方に回動される。図７から図１２の開き位置は、操作者が把持プレート９１をパドルのトーションスプリング６３の力に抗して引張ることにより達成される。開き位置において止め歯５７はそのスプリング６１の力により止め歯の開き位置へと自由に回転することから、止め歯５７は、図８および図１２の如くハウジング５３のフック状部材９３の部分から離間して回転される。ハウジングのフック部材９３は、止め歯５７がフック部材９３の壁部の延長部内へと閉じられるとき完全にストライカ・ワイヤの捕捉をする。
【手続補正１２】
【補正対象書類名】明細書
【補正対象項目名】００３１
【補正方法】変更
【補正の内容】
【００３１】
パドル構造体５５の平行に伸びる２つの側壁部７１、７３は、強固な構造を提供する。パドルの各側壁部７１、７３は、図２および図８の如くほとんど半円形のジャーナル部材１０５にて終端する。これらのジャーナル部材１０５の各々は、図１、図７および図１３の如く接線が交わる壁部１０９、１１１により形成される。張力を常時保つスプリング、すなわち、内方傾斜フィンガ１１３は、図４、図５、図１０、図１１の如く三角形状開口１０７内へと伸びている。各傾斜フィンガ１１３の端部は湾曲１１５されている。この湾曲１１５は、部材１０５とともにジャーナル表面を完成する。
【手続補正１３】
【補正対象書類名】明細書
【補正対象項目名】００３３
【補正方法】変更
【補正の内容】
【００３３】
係止プレート５９は、図１３の如く止め歯５７の後部縁表面１２３に沿い乗り掛かる傾斜表面１１９であって干渉摩擦“係止”位置において止め歯５７に係合する傾斜表面１１９を有する。止め歯５７は各側に一つ、一対の片持ちシャフト１２５を有する。止め歯の付勢スプリング６１は、その端部脚部６５を、ストライカに係合する止め歯５７の端部から離間する方向に向けて、片持ちシャフト１２５上に組付けられる。止め歯５７は、図１３および図１４の如くハウジングの壁部を貫通する夫々の回動孔１２９であって止め歯用キャビティ１２７の並置側壁部の各々におけるスプリング用キャビティ１３１内の回動孔１２９において各片持ちシャフト１２５を回動させ乍ら、ハウジング５３におけるキャビティ１２７内で動作する。
【手続補正１４】
【補正対象書類名】明細書
【補正対象項目名】００３４
【補正方法】変更
【補正の内容】
【００３４】
止め歯の付勢スプリング６１は止め歯５７上に組付けられ、止め歯はハウジング５３の止め歯用キャビティ１２７内へと押し込まれる。各スプリング用キャビティ１３１の外壁の内側面は、回動孔１２９に通ずる僅かな内方傾斜１３３を有する。図１４のこの傾斜１３３によれば、止め歯５７の回動シャフト１２５がスプリング用キャビティ１３１内へと下方に移動するにつれ、キャビティ１３１の各壁部は離間して拡開される。すると、各回動シャフト１２５は夫々の回動孔１２３内へと弾性係止して、止め歯５７は止められる。自身の付勢スプリング６１を担持する止め歯５７がキャビティ１３１内へと下方に移動するにつれ、スプリング６１の端部脚部６５はキャビティ１３１の後壁により垂直位置へと付勢される。これにより、図１５の如く止め歯の付勢スプリング６１には積極的張力が加えられる。
【手続補正１５】
【補正対象書類名】明細書
【補正対象項目名】００３５
【補正方法】変更
【補正の内容】
【００３５】
図１４および図１５のハウジング下位アセンブリは、手作業で（手動で）組立てることができる。更なる組立てとしては、ハウジングの長寸である方の片持ちシャフト１０３上へとパドルの付勢スプリング６３を取付けること、および、図１５の如く、ハウジング５３の底壁部８１とハウジングの頂壁部１３５との間においてハウジング５３内へと係止プレート５９を摺動させることが挙げられる。そのとき、図１５の如くハウジングの下位アセンブリ１３７は完成する。次に、図１６の如くハウジングの下位アセンブリ１３７上へとパドル構造体５５が押し付けられる。それを行う上で、パドル構造体の各側壁部７１、７３の三角形状開口１０７はハウジング５３の片持ちシャフト１０１、１０３上を通り越し、夫々の張力を常時保つスプリング・フィンガ１１３はシャフト１０１、１０３が乗り越えられるまで外方に拡開される。次にシャフト１０１および１０３は内方に弾性係止し、各片持ちシャフト１０１、１０３は、端部キャップ１１７およびジャーナル表面１０５により、張力を常時保つスプリングの湾曲表面１１５に当接して確実に所定位置に保持される。各張力を常時保つスプリング１１３は止め歯の夫々の片持ちシャフト１０１、１０３に対して圧力を及ぼすことで、振動を減衰する。パドル構造体５５は、開き位置および閉じ位置の間において、ハウジング５３上で自由に回動する。
【手続補正１６】
【補正対象書類名】明細書
【補正対象項目名】００３９
【補正方法】変更
【補正の内容】
【００３９】
回転式止め歯５７は図２２の如く、付勢スプリング用スロット１４１、ストライカ・ワイヤ係合用スロット１４３および後側捕捉フィンガ１４５を有する鉤爪形状である。図２２の閉じ位置において止め歯５７の後側フィンガ１４５は、係止プレート５９と重なり合うことでプレートに対し自身の一面（上側表面１５７）上で当接し、ワイヤ・ストライカ１５１との係合のために止め歯のストライカ係合用スロット１４３をハウジング５３のフック形状部材内へと保持する。パドルの把持プレート９１を上昇させるとパドル構造体５５は回転することから、止め歯５７が図２５の開き位置へと自由に回転する様に係止プレート５９は、止め歯の後側捕捉フィンガ１４５との当接接触から外方に離間してフィンガの背後へと移動し、その場合に止め歯の湾曲後縁部１２３は、対向表面上の傾斜表面１１９である係止プレート５９の対向表面（正面）に係合する。
【手続補正１７】
【補正対象書類名】明細書
【補正対象項目名】００４０
【補正方法】変更
【補正の内容】
【００４０】
図２３は、アセンブリの詳細と、ハウジングの回動シャフト１０３、ジャーナル表面１０５、１１５および張力を常時保つスプリング保持フィンガ１１３の相互作用とを示している。図２４は、ハウジング５３、パドルの付勢スプリング６３、および、ハウジングと相互作用するスプリングの端部６７であってスプリング用係合部材１４７に当接する端部６７の相互作用を示している。
【手続補正１８】
【補正対象書類名】明細書
【補正対象項目名】００４１
【補正方法】変更
【補正の内容】
【００４１】
図２５は、回転式止め歯５７の後縁部１２３に当接する係止プレート５９の傾斜表面１１９の干渉摩擦力により開いて保持されたパドル５５を示している。パドル５５は、そのトーションスプリング６３の力を受けて、パドルの閉じ位置に戻ろうとしている。これにより、係止プレートの傾斜表面１１９は、止め歯の湾曲後縁部１２３との“摩擦接触”へともたらされる。これにより係止プレート５９の移動が停止され、すると係止プレートはパドル５５の移動を停止させる。これにより、パドル５５は開いて保持される。
【手続補正１９】
【補正対象書類名】明細書
【補正対象項目名】００４５
【補正方法】変更
【補正の内容】
【００４５】
図３４から図３６は、開き位置にあるラッチ・アセンブリであってストライカ・ワイヤ１５１と係合する前のラッチ・アセンブリを示す図である。ラッチ・アセンブリがストライカ・ワイヤ内へと押圧されたとき、止め歯５７は回転せしめられてラッチを閉じる。図３７は図２５と類似するが、図３７においてラッチは、動作矢印１５３に従い閉じられるべく押圧されたとき、すなわち閉じるべく強打されたとき、ストライカ・ワイヤ１５１内へと移動して位置付けられる。
【手続補正２０】
【補正対象書類名】図面
【補正対象項目名】図４０ｂ
【補正方法】変更
【補正の内容】
【図４０ｂ】
2007247392.tif 000001
【手続補正２１】
【補正対象書類名】図面
【補正対象項目名】図４０ｄ
【補正方法】変更
【補正の内容】
【図４０ｄ】
2007247392.tif 000002